(57)【要約】【課題】  本発明の課題は、試聴リクエスト情報を二次元コードで、試聴者に、提供することで、試聴者は、試聴リクエスト情報を携帯情報端末でカメラ撮影して、試聴リクエスト情報のキーインの手間を省き、試聴音楽コンテンツを容易に入手出来ると同時に、音楽コンテンツ販売者は、試聴結果を利用して、効果的な販促活動を行える携帯電話試聴サービスシステムを提供することである。【解決手段】  携帯情報端末装置の二次元コード読取手段が二次元コードを読取り、楽曲問合せ手段が試聴したい楽曲情報を試聴サーバ装置に送信して、試聴サーバ装置の楽曲情報提供手段は、試聴音楽のデータを携帯端末装置に送信して、携帯情報端末装置の楽曲情報受信手段は、所望した楽曲情報を試聴サーバ装置から受信する二次元コードを用いた音楽試聴サービスシステムである。【選択図】図１
2006227240.tif 000002
【特許請求の範囲】
【請求項１】
試聴サーバ装置とモバイル端末装置とが、ネットワークで接続されている音楽試聴サービスシステムにおいて、
前記試聴サーバ装置は、
リクエストされた音楽コンテンツをリクエスト元のモバイル端末装置に送信する音楽コンテンツ提供手段
を備えた試聴サーバ装置であって、
前記モバイル端末装置は、
二次元コードをデジタル画像データとして読取る撮像手段と、
前記読取った二次元コードのデジタル画像データから、リクエストする音楽コンテンツの音楽識別記号を復号して、送信する試聴音楽問い合せ手段と、
リクエストした音楽コンテンツを受信して再生する試聴音楽受信手段と、
を備えたモバイル端末装置である、
二次元コードを用いた音楽試聴サービスシステム。
【請求項２】
前記試聴サーバ装置は、
リクエストされた音楽コンテンツの試聴箇所を選択するための試聴箇所情報を含む楽曲情報を、送信する楽曲情報提供手段をさらに備え、
前記モバイル端末装置は、
前記送信された楽曲情報を受信し、前記試聴箇所情報に基づき、利用者が試聴したい音楽の試聴箇所の選択指示情報を受付けて、受付けた選択指示情報を、送信する試聴箇所選択手段、
をさらに備えることを特徴とする請求項１に記載の音楽試聴サービスシステム。
【請求項３】
前記試聴箇所情報は、ＵＲＬで記述することを特徴とする請求項２に記載の二次元コードを用いた音楽試聴サービスシステム。
【請求項４】
試聴サーバ装置とモバイル端末装置とが、ネットワークで接続されている音楽試聴サービスシステムにおいて、
前記試聴サーバ装置は、
リクエストされた音楽コンテンツの属性情報である楽曲情報を送信する楽曲情報提供手段と、
リクエストされた音楽コンテンツをリクエスト元のモバイル端末装置に送信する音楽コンテンツ提供手段と、
リクエストされた音楽コンテンツの音楽識別記号と前記モバイル端末装置の固体識別番号を含む試聴履歴情報を、試聴履歴テーブルに記録する試聴履歴記録手段と、
リクエストされた音楽コンテンツをモバイル端末装置に送信する音楽コンテンツ提供手段と
を備えた試聴サーバ装置であって、
前記モバイル端末装置は、
二次元コードをデジタル画像データとして読取る撮像手段と、
前記読取った二次元コードのデジタル画像データから復号したリクエストする音楽コンテンツの音楽識別記号と、前記モバイル端末装置の固体識別番号を前記試聴サーバ装置に送信する試聴音楽問い合せ手段と、
前記リクエストされた音楽コンテンツを受信して再生する試聴音楽受信手段と、
を備えたモバイル端末装置である、
ことを特徴とする二次元コードを用いた音楽試聴サービスシステム。
【請求項５】
前記音楽コンテンツ提供手段は、
前記受信したリクエストされた音楽コンテンツの音楽識別記号と前記モバイル端末装置の固体識別番号をアンド検索キーにして、試聴履歴テーブルの音楽識別記号と固体識別番号を参照してアンド検索して、前記キーと一致するアンド検索結果の試聴回数を調べて、所定の試聴回数以下であれば、リクエストされた音楽コンテンツをモバイル端末装置に送信することを特徴とする請求項４に記載の二次元コードを用いた音楽試聴サービスシステム。
【請求項６】
前記モバイル端末装置は、
試聴サーバ装置から受信した会員情報入力画面に、会員情報を入力して、前記モバイル端末装置の固体識別番号と共に返信する会員情報入力手段
をさらに備えて、
前記試聴サーバ装置は、
前記入力された会員情報と前記モバイル端末装置の固体識別番号を会員情報テーブルに登録する会員情報記録手段と、
受信したモバイル端末装置の固体識別番号をキーにして、会員情報テーブルの固体識別番号を参照して、前記キーと同一の固体識別番号が存在すれば、リクエストされた音楽コンテンツの楽曲情報の提供を許可する本人認証手段と、
試聴履歴テーブルを分析条件式に基づいて、集計して、分析する試聴履歴分析手段と、
をさらに備えることを特徴とする請求項４に記載の二次元コードを用いた音楽試聴サービスシステム。
【請求項７】
モバイル端末装置の固体識別番号と会員情報入力画面に入力された会員情報を会員情報テーブルに登録する会員情報登録ステップ、
二次元コードをデジタル画像データとして読取る撮像読取ステップ、
読取った二次元コードのデジタル画像データから、リクエストする音楽コンテンツの音楽識別記号を復号して、モバイル端末装置の固体識別番号とともに送信する試聴音楽問い合せステップ、
前記受信したモバイル端末装置の固体識別番号をキーにして、会員情報テーブルの固体識別番号を参照して、前記キーと一致する固体識別番号が存在すれば、リクエストされた音楽コンテンツの楽曲情報の提供を許可する本人認証ステップ、
リクエストされた音楽コンテンツの試聴箇所を選択するための試聴箇所情報を含む楽曲情報を、送信する楽曲情報提供ステップ、
前記送信された楽曲情報を受信し、前記試聴箇所情報に基づき、利用者が試聴したい音楽の試聴箇所の選択指示情報を受付けて、受付けた選択指示情報を、送信する試聴箇所選択ステップ、
試聴した楽曲情報とモバイル端末装置の固体識別番号を、試聴履歴テーブルに記録する試聴履歴記録ステップ、
固体識別番号を試聴回数調査キーにして、試聴履歴テーブルの音楽識別記号と固体識別番号をアンド検索して参照して、前記キーと一致するアンド検索結果の試聴回数を調べて、所定の試聴回数以下であれば、リクエストされた音楽コンテンツをモバイル端末装置に送信する音楽コンテンツ提供ステップ、
リクエストされた音楽コンテンツを受信して再生する試聴音楽受信ステップ、
試聴履歴テーブルを分析条件式に基づいて、集計して、分析する試聴履歴分析ステップ、
を含んだ手順でなされることを特徴とする二次元コードを用いたモバイル端末装置による音楽試聴方法。
【請求項８】
コンピュータに組込むことによって、コンピュータを請求項１から請求項６のいずれか一項に記載の二次元コードを用いたモバイル端末装置による音楽試聴システムとして動作させるコンピュータプログラム。
【発明の詳細な説明】
【技術分野】
【０００１】
本発明は、通信網を用いて、モバイル端末装置に、試聴する音楽コンテンツを配信するサービスシステムに関するものである。
【背景技術】
【０００２】
従来、携帯電話で、試聴したい音楽を試聴するときには、あらかじめ、携帯電話の端末ＩＤをシステムサーバ上に一度登録しておき、音楽コンテンツをダウンロードしたり、ストリーミングする事で、試聴を実現していた。
【０００３】
たとえば、特許文献１には、携帯電話からの試聴リクエスト情報にしたがって、音楽コンテンツを提供する技術が開示されている。この技術は、携帯電話機が試聴リクエスト情報と端末ＩＤを公衆回線網のインターネット接続サービスのパケット通信を介してシステムサーバに送信し、システムサーバが試聴リクエスト情報に対応する音楽コンテンツをインターネットを介してレコード会社のWorld Wide Webサーバから取り出し、 携帯電話に対してパケット通信を電話回線に切り換えて送信するか、あるいは音楽コンテンツに対応する電話番号を送信して表示させるようにしたものである。（従来技術１）
【特許文献１】特開２００２−５１１６４号公報（４〜７頁、図１〜４）
【発明の開示】
【発明が解決しようとする課題】
【０００４】
しかし、従来技術１の音楽試聴サービスでは、試聴者は、音楽コンテンツ提供のサービスを受けるために、試聴リクエスト情報を、キー入力しなければならず、入力の手間と、確認作業を要するという問題があった。また、音楽コンテンツ販売者は、音楽愛好者が試聴した結果を的確に把握できないために、新譜情報を広告するにあたって、ポスター、チラシ、雑誌、イベントなどの媒体のどれが有効か判断できないために、試聴者の嗜好動向を効果的に販売促進計画に活かせず、適切な販売促進費用をかけることが困難であった。
【０００５】
本発明はこのような従来技術を考慮してなされたものであって、本発明の課題は、試聴リクエスト情報を二次元コードで、試聴者に、提供することで、試聴者は、モバイル端末装置でカメラ撮影をすることで、試聴リクエスト情報のキー入力の手間を省き、試聴音楽コンテンツを容易に入手出来ると同時に、音楽コンテンツ販売者は、試聴結果を利用して、効果的な販促活動を行えるモバイル端末音楽試聴サービスシステムを提供することである。
【課題を解決するための手段】
【０００６】
本発明は、以下のような解決手段により、前記課題を解決する。すなわち、請求項１に記載の発明は、試聴サーバ装置とモバイル端末装置とが、ネットワークで接続されている音楽試聴サービスシステムにおいて、前記試聴サーバ装置は、リクエストされた音楽コンテンツをリクエスト元のモバイル端末装置に送信する音楽コンテンツ提供手段を備えた試聴サーバ装置であって、前記モバイル端末装置は、二次元コード（たとえば、ＱＲコード、登録商標）をデジタル画像データとして読取る撮像手段と、前記読取った二次元コードのデジタル画像データから、リクエストする音楽コンテンツの音楽識別記号（たとえば、ＱＲ番号）を復号して、送信する試聴音楽問い合せ手段と、リクエストした音楽コンテンツを受信して再生する試聴音楽受信手段と、を備えたモバイル端末装置である、二次元コードを用いた音楽試聴サービスシステムである。
【０００７】
請求項２に記載の発明は、前記試聴サーバ装置は、リクエストされた音楽コンテンツの試聴箇所を選択するための試聴箇所情報を含む楽曲情報を、送信する楽曲情報提供手段をさらに備え、前記モバイル端末装置は、前記送信された楽曲情報を受信し、前記試聴箇所情報に基づき、利用者が試聴したい音楽の試聴箇所の選択指示情報を受付けて、受付けた選択指示情報を、送信する試聴箇所選択手段、をさらに備えることを特徴とする請求項１に記載の音楽試聴サービスシステムである。
【０００８】
請求項３に記載の発明は、前記試聴箇所情報は、ＵＲＬで記述することを特徴とする請求項２に記載の二次元コードを用いた音楽試聴サービスシステムである。
【０００９】
請求項４に記載の発明は、試聴サーバ装置とモバイル端末装置とが、ネットワークで接続されている音楽試聴サービスシステムにおいて、前記試聴サーバ装置は、リクエストされた音楽コンテンツの属性情報である楽曲情報（たとえば、曲名、アーティスト名）を送信する楽曲情報提供手段と、リクエストされた音楽コンテンツをリクエスト元のモバイル端末装置に送信する音楽コンテンツ提供手段と、リクエストされた音楽コンテンツの音楽識別記号と前記モバイル端末装置の固体識別番号を含む試聴履歴情報を、試聴履歴テーブルに記録する試聴履歴記録手段と、リクエストされた音楽コンテンツをモバイル端末装置に送信する音楽コンテンツ提供手段と
を備えた試聴サーバ装置であって、前記モバイル端末装置は、二次元コードをデジタル画像データとして読取る撮像手段と、前記読取った二次元コードのデジタル画像データから復号したリクエストする音楽コンテンツの音楽識別記号と、前記モバイル端末装置の固体識別番号を前記試聴サーバ装置に送信する試聴音楽問い合せ手段と、前記リクエストされた音楽コンテンツを受信して再生する試聴音楽受信手段と、を備えたモバイル端末装置であることを特徴とする二次元コードを用いた音楽試聴サービスシステムである。
【００１０】
請求項５に記載の発明は、前記音楽コンテンツ提供手段は、前記受信したリクエストされた音楽コンテンツの音楽識別記号と前記モバイル端末装置の固体識別番号をアンド検索キーにして、試聴履歴テーブルの音楽識別記号と固体識別番号を参照してアンド検索して、前記キーと一致するアンド検索結果の試聴回数を調べて、所定の試聴回数以下であれば、リクエストされた音楽コンテンツをモバイル端末装置に送信することを特徴とする請求項４に記載の二次元コードを用いた音楽試聴サービスシステムである。
【００１１】
請求項６に記載の発明は、前記モバイル端末装置は、試聴サーバ装置から受信した会員情報入力画面に、会員情報を入力して、前記モバイル端末装置の固体識別番号と共に返信する会員情報入力手段をさらに備えて、前記試聴サーバ装置は、前記入力された会員情報と前記モバイル端末装置の固体識別番号を会員情報テーブルに登録する会員情報記録手段と、受信したモバイル端末装置の固体識別番号をキーにして、会員情報テーブルの固体識別番号を参照して、前記キーと同一の固体識別番号が存在すれば、リクエストされた音楽コンテンツの楽曲情報の提供を許可する本人認証手段と、試聴履歴テーブルを分析条件式に基づいて、集計して、分析する試聴履歴分析手段と、をさらに備えることを特徴とする請求項４に記載の二次元コードを用いた音楽試聴サービスシステムである。
【００１２】
請求項７に記載の発明は、モバイル端末装置の固体識別番号と会員情報入力画面に入力された会員情報を会員情報テーブルに登録する会員情報登録ステップ、二次元コードをデジタル画像データとして読取る撮像読取ステップ、読取った二次元コードのデジタル画像データから、リクエストする音楽コンテンツの音楽識別記号を復号して、モバイル端末装置の固体識別番号とともに送信する試聴音楽問い合せステップ、前記受信したモバイル端末装置の固体識別番号をキーにして、会員情報テーブルの固体識別番号を参照して、前記キーと一致する固体識別番号が存在すれば、リクエストされた音楽コンテンツの楽曲情報の提供を許可する本人認証ステップ、リクエストされた音楽コンテンツの試聴箇所を選択するための試聴箇所情報を含む楽曲情報を、送信する楽曲情報提供ステップ、前記送信された楽曲情報を受信し、前記試聴箇所情報に基づき、利用者が試聴したい音楽の試聴箇所の選択指示情報を受付けて、受付けた選択指示情報を、送信する試聴箇所選択ステップ、試聴した楽曲情報とモバイル端末装置の固体識別番号を、試聴履歴テーブルに記録する試聴履歴記録ステップ、固体識別番号を試聴回数調査キーにして、試聴履歴テーブルの音楽識別記号と固体識別番号をアンド検索して参照して、前記キーと一致するアンド検索結果の試聴回数を調べて、所定の試聴回数以下であれば、リクエストされた音楽コンテンツをモバイル端末装置に送信する音楽コンテンツ提供ステップ、リクエストされた音楽コンテンツを受信して再生する試聴音楽受信ステップ、試聴履歴テーブルを分析条件式に基づいて、集計して、分析する試聴履歴分析ステップ、を含んだ手順でなされることを特徴とする二次元コードを用いたモバイル端末装置による音楽試聴方法である。
【００１３】
請求項８に記載の発明は、コンピュータに組込むことによって、コンピュータを請求項１から請求項６のいずれか一項に記載の二次元コードを用いたモバイル端末装置による音楽試聴システムとして動作させるコンピュータプログラムである。
【発明の効果】
【００１４】
本願発明によれば、モバイル端末音楽試聴サービスシステムを提供することで、試聴者は、試聴リクエスト情報を含んだ二次元コードを、モバイル端末装置のカメラで撮影することで、試聴リクエスト情報のキーインの手間を省き、試聴音楽コンテンツを容易に入手することが可能になる。また、音楽コンテンツ販売企業は、試聴結果を分析して利用することで、嗜好情報を把握したり、ポスター、広告、雑誌などの販促媒体の効果を把握することが出来るので、効果的な販促活動を行える。
【発明を実施するための最良の形態】
【００１５】
以下、図面等を参照しながら、本発明の実施の形態について、詳しく説明する。図１は、本発明による音楽試聴サービスシステムの概念図である。本発明は、試聴希望者が、二次元コードを、所有するモバイル端末装置（たとえば、携帯電話）で読み込み、試聴サーバ装置にアクセスすることで、音楽試聴サービスを提供するものである。
【００１６】
試聴サーバ装置１０には、試聴用の音楽コンテンツやその関連情報としての楽曲情報（たとえば、曲名、アーティスト名）を保存しておく。試聴者は、モバイル端末装置１１、たとえば、二次元コード復号機能を備えたカメラ付き携帯電話を用いて、試聴したい音楽を試聴する。試聴者は、試聴したい音楽を入手するために、携帯電話のカメラで、印刷媒体１２に印刷された二次元コード（たとえば、ＱＲコード）を撮影して、試聴したい音楽の音楽識別記号（たとえば、ＱＲ番号）を復号して、試聴サーバ装置１０に、この音楽識別記号を用いて、試聴用の音楽コンテンツを要求して入手する。印刷媒体１２には、二次元コードが印刷された雑誌・カタログ・広告・ポスター・チラシなど、あるいは、二次元コードが印刷されたシールを添付したＣＤやカセットテープなどのメディアがある。試聴サーバ装置１０には、試聴者が試聴した試聴履歴データを蓄積する。企業１４は、蓄積した試聴履歴データを、ＣＭ戦略、販売戦略、ターゲット分析などの販売促進に活用する。
【００１７】
図２は、本発明による音楽試聴サービスシステムの全体構成図である。試聴サーバ装置１０とモバイル端末装置１１は、通信回線で接続されている。試聴サーバ装置１０は、会員情報登録手段１０２と、本人認証手段１０３と、楽曲情報提供手段１０４と、試聴履歴記録手段１０５と、記憶手段１０６と、試聴履歴分析手段１０７と、音楽コンテンツ提供手段１０８とを備える。記憶手段１０６は、音楽コンテンツ１０６ａと、情報管理テーブル１０６ｂと、を記憶する。情報管理テーブル１０６ｂは、会員情報テーブル５１、試聴履歴テーブル５０その他で構成するが、詳細は、図３で説明する。モバイル端末装置１１ は、撮像手段１１２と、試聴音楽問合せ手段１１３と、試聴箇所選択手段１１４と、試聴音楽受信手段１１５と、会員情報入力手段１１６と、を備える。
【００１８】
会員情報登録手段１０２と、本人認証手段１０３と、楽曲情報提供手段１０４と、試聴履歴記録手段１０５と、記憶手段１０６と、試聴履歴分析手段１０７と、音楽コンテンツ提供手段１０８とは、試聴サーバ装置１０が内蔵するプログラムである。試聴音楽問合せ手段１１３と、試聴箇所選択手段１１４と、試聴音楽受信手段１１５と、会員情報入力手段１１６とは、モバイル端末装置１１が内蔵するプログラムである。記憶手段１０６は、試聴サーバ装置１０が内蔵するハードウェアである。撮像手段１１２は、モバイル端末装置１１が内蔵するハードウェアである。音楽コンテンツ１０６ａと、情報管理テーブル１０６ｂとは、データである。
【００１９】
図３は、本発明による情報管理テーブルの説明図である。情報管理テーブル１０６ｂは、ＱＲ情報テーブル５２や、試聴履歴テーブル５０や、会員情報テーブル５１などの複数の情報テーブルからなる。
【００２０】
ＱＲ情報テーブル５２は、ＱＲコードに含まれるＱＲ番号の属性情報を管理するテーブルで、たとえば、楽曲番号５２ａ、媒体番号５２ｂ、ＱＲ番号５２ｃ、企業番号５２ｄなどが管理されている。なお、ＱＲ番号とは、試聴したい音楽（試聴用の音楽）を識別のために付けられている、ユニークな音楽識別記号である。
【００２１】
試聴履歴テーブル５０は、試聴者の試聴履歴を管理するテーブルであって、たとえば、固体識別番号５０ａ、試聴箇所番号５０ｂ、日付５０ｃ、ＱＲ番号５０ｄなどが管理されている。会員情報テーブル５１は、試聴サービスを利用する試聴者・試聴者が利用しているモバイル端末装置に関する情報を管理するテーブルであって、たとえば、モバイル端末装置の固体識別番号５１ａ、年代５１ｂなどが管理されている。楽曲名テーブル５３は、たとえば、楽曲番号５３ａ、楽曲名５３ｂ、アーティスト５３ｃを管理するテーブルである。アーティスト名テーブル５４は、たとえば、アーティスト名５４ａやアーティストに関連する情報５４ｂなどを管理するテーブルである。試聴箇所管理テーブル５５は、楽曲の試聴箇所に応じた音楽コンテンツをＵＲＬで管理するテーブルであって、たとえば、音楽コンテンツのイントロ部分、Ａメロ部分、サビの部分を試聴箇所とする音楽コンテンツを格納するＵＲＬ５５ｃなどを記述する。商品名テーブル５７は、たとえば、ＣＤの商品名５７ａやレーベル企業の情報などを管理するテーブルである。収録先テーブル５８は、たとえば、商品に収録されている音楽を楽曲番号５８ａで管理するテーブルである。
【００２２】
企業名テーブル５６は、楽曲販売元の企業名を管理するテーブルである。販促媒体名テーブル５９は、販促に使った媒体の種類を管理するテーブルであって、たとえば、雑誌、ポスター、カタログ、ＣＤパッケージ等である。
【００２３】
図４は、本発明によるサーバ装置とモバイル端末装置との通信手順の説明図（試聴者に顧客情報を入力させて、試聴回数制限を設けて、試聴箇所を選択できる場合）である。二次元コードから得たＵＲＬで試聴サーバ装置にアクセスすると、試聴箇所（イントロ部、Ａメロ部、サビ部など）を選択できる画面が送信されてきて、聴きたい箇所を要求すると、その音楽コンテンツが送信されてくる通信手順である。同一の音楽は、試聴できる回数に制限がある。試聴する前に、試聴者の属性情報を登録する必要がある。モバイル端末装置１１の会員情報入力手段１１６は、 試聴サーバ装置１０から受信した会員情報入力画面に個人の属性情報を入力して、固体識別番号と共に、送信する（図４（イ））。試聴サーバ装置１０の会員情報登録手段１０２は、会員情報（たとえば、性別、地域、キャリア名、年代、ブラウザ名、機種名）とモバイル端末装置１１の固体識別番号を会員情報テーブル５１に登録保存する（同（ロ））。
【００２４】
モバイル端末装置１１の撮像手段１１２は、二次元コードをデジタル画像データとして読み取る（同（ハ））。試聴音楽問合せ手段１１３は、読み取った二次元コードのデジタル画像データを復号して、試聴サーバ装置１０の楽曲試聴サイト用ＵＲＬとＱＲ番号を取り出す（同（ニ））。試聴音楽問合せ手段１１３は、このＵＲＬで、試聴サーバ装置１０の楽曲試聴サイトにアクセスして、この固体識別番号とＱＲ番号を送信する。（同（ホ））。試聴サーバ装置１０の本人認証手段１０３は、受信した固体識別番号にて、会員情報テーブル１０６ａを検索して、会員認証する。会員でなければ、会員情報登録手段１０２で、会員情報を会員情報テーブルに登録させる（同（ヘ））。
【００２５】
試聴サーバ装置１０の楽曲情報提供手段１０４は、ＱＲ番号を受信して、ＱＲ番号で情報テーブルを参照して、楽曲情報を取得して、この楽曲情報で楽曲試聴箇所選択画面を作成して、送信する。さらに、試聴箇所選択手段１１４からのリクエストにより、収録先情報画面２３や収録曲リスト画面を作成して送信することができる（同（ト））。（詳細な手順の説明は、図１５を参照）モバイル端末装置１１の試聴箇所選択手段１１４は、楽曲試聴箇所選択画面２２を表示する。ここで、試聴者が、楽曲情報の詳細を知りたければ、試聴箇所選択手段１１４を使って、楽曲試聴箇所選択画面２２から、収録先情報画面２３や収録曲リスト画面をリクエストできる（（同（チ））。
【００２６】
試聴者は、試聴箇所選択手段１１４を用いて、試聴する楽曲情報の内容を確認して、試聴音楽コンテンツの楽曲試聴箇所ＵＲＬを送信する（同（リ））。試聴サーバ装置１０の履歴記録手段１０８は、指定された楽曲試聴箇所ＵＲＬを受信して、会員が試聴した情報（たとえば、ＱＲ番号、楽曲番号、日付、楽曲試聴箇所番号）を、試聴履歴テーブルに記録する（同（ヌ））。
【００２７】
試聴サーバ装置１０の音楽コンテンツ提供手段１０５は、ＱＲ番号を受信して、ＱＲ情報テーブルから、楽曲番号を取得する（同（ル））。音楽コンテンツ提供手段１０５は、固体識別番号と楽曲番号のアンド検索にて、試聴履歴テーブルを検索して、試聴回数を、チェックする。試聴回数が、３回未満であれば、楽曲試聴を許可する。３回以上であれば、試聴不可画面を表示する（同（ヲ））。音楽コンテンツ提供手段１０５は、音楽コンテンツの試聴が許可されたら、音楽コンテンツを携帯電話にストリーミング送信する（同（ワ））。モバイル端末装置１１の試聴音楽受信手段１１５は、音楽コンテンツをストリーミング受信する（同（カ））。モバイル端末装置１１は、音楽を試聴する（同（ヨ））。
【００２８】
なお、試聴箇所選択手段１１４の機能は、（図４（チ））において、収録先情報画面２３や収録曲リスト画面のリクエストができなくてもよい。
【００２９】
図５は、本発明によるサーバ装置とモバイル端末装置との通信手順の説明図（試聴者に顧客情報を入力させずに試聴履歴をとり、試聴回数制限を設けて、試聴箇所を選択できる場合 ）である。試聴する前に、試聴者の属性情報として、形態端末装置の固体識別番号（装置のＩＤ番号）を登録する必要がある。ここで、手順の（図５（ハ））、（（同（ニ））、（同（ホ））、（（同（ト））、（同（チ））、（同（ト））、（同（チ））、（同（リ））、（同（ヌ））、（同（ル））、（（同（ヲ））、（同（ワ））、（（同（カ））、（同（ヨ））は、それぞれ、（図４（ハ））（（同（ニ））、（同（ホ））、（（同（ト））、（同（チ））、（同（リ））、（同（ヌ））、（同（ル））、（（同（ヲ））、（同（ワ））、（（同（カ））、（同（ヨ））と同じである。
【００３０】
図６は、本発明によるサーバ装置とモバイル端末装置との通信手順の説明図（試聴者に顧客情報を入力させずに試聴履歴をとり、試聴回数制限を設けて、試聴箇所を選択させずに試聴する場合 ）である。（音楽の試聴箇所は、楽曲試聴箇所ＵＲＬが選択されたとみなして、所与の楽曲試聴箇所ＵＲＬが１個のみであることが、特徴である。ここで、手順の（図６（ハ））、（（同（ニ））、（同（ホ））は、それぞれ、（図４（ハ））、（（同（ニ））、（同（ホ））と同じである。試聴サーバ装置１０の試聴履歴記録手段１０４は、ＱＲ番号を含んだ会員が試聴したい情報（その他には、たとえば、楽曲番号、日付）を受信して、このＱＲ番号をキーにして情報テーブルを参照して、楽曲情報と試聴箇所ＵＲＬ（１個）を取得して、音楽再生リクエスト画面を作成して、送信する。さらに、試聴箇所選択手段１１４からのリクエストにより、収録先情報画面２３や収録曲リスト画面を作成して送信することができる（図６（ト））。（図６（チ））は、（図４（チ））と同じである。試聴箇所選択手段１１４は、受信した前記音楽再生リクエスト画面の再生ボタンを押して、楽曲試聴箇所ＵＲＬを送信する（図６（リ））。手順の（図６（ヌ））、（同（ル））、（（同（ヲ））（同（ワ））、（同（カ））、（同（ヨ））は、それぞれ、（図４（ヌ））、（同（ル））、（（同（ヲ））（同（ワ））、（同（カ））、（同（ヨ））と同じである。
【００３１】
図７は、本発明によるサーバ装置とモバイル端末装置との通信手順の説明図（試聴者に顧客情報を入力させずに試聴履歴をとり、試聴回数制限を設けずに、音楽の試聴箇所を選択できる場合 ）である。試聴回数に制限を設けていないので、本人認証が不要であることが特徴である。ここで、手順の（図７（ハ））、（同（ホ））、（同（ト））、（同（チ））、（同（リ））、（同（ヌ））は、それぞれ、（図４（ハ））、（同（ホ））、（同（ト））、（同（チ））、（同（リ））、（同（ヌ））と同じである。音楽コンテンツ提供手段１０５は、前記受信した楽曲試聴箇所ＵＲＬから、音楽コンテンツをモバイル端末装置にストリーミング送信する（図７（ワ））。手順の（図７（カ））、（同（ヨ））は、それぞれ、（図４（カ））、（同（ヨ））と同じである。
【００３２】
図８は、本発明によるサーバ装置とモバイル端末装置との通信手順の説明図（試聴履歴をとらずに、試聴回数制限を設けずに、音楽の試聴箇所を選択できる場合）である。試聴箇所を選択して、何回でも、試聴できることを特徴とする。ここで、手順の（図８（ハ））、（同（ホ））、（（同（ト））、（同（チ））、（同（リ））は、それぞれ、（図４（ハ））、（同（ホ））、（（同（ト））、（同（チ））、（同（リ））と同じである。手順の（図８（ワ））は、（図７（ワ））と同じである。手順の（（図８（カ））、（同（ヨ））は、それぞれ、（図４（カ））、（同（ヨ））と同じである。
【００３３】
図９は、本発明によるサーバ装置とモバイル端末装置との通信手順の説明図（試聴履歴をとらずに、試聴回数制限を設けずに、試聴箇所を選択させずに試聴する場合）である。予め定められた部分を何回でも、試聴できることを特徴とする。ここで、手順の（図９（ハ））、（同（ホ））は、それぞれ、（図４ハ））、（同（ホ））と同じである。手順の（図９（ト））は、（図６（ト））と同じである。手順の（図９（チ））は、（図４（チ））と同じである。（図９（リ））は、（図６（リ））と同じである。手順の（図９（ワ））は、それぞれ、（図７（ワ））と同じである。手順の（（図９（カ））、（同（ヨ））は、それぞれ、（図４（カ））、（同（ヨ））と同じである。
【００３４】
図１０は、本発明によるモバイル端末装置のフローチャート（試聴者に顧客情報を入力させて、試聴回数制限を設けて、試聴箇所を選択できる場合 ）である。
（１）撮像手段１１２は、二次元コードを読み取る。試聴音楽問合せ手段１１３は、読み  取った二次元コードを復号して、“楽曲試聴サイト用ＵＲＬ”と“ＱＲ番号”を取り出  す。（ステップＳ２００）
（２）試聴音楽問合せ手段１１３は、試聴サーバ装置１０に、“楽曲試聴サイト用ＵＲＬ  ”でアクセスして、確認画面の送信を要求する。（ステップＳ２０１）
（２）視聴者が、受信した確認画面の“ＹＥＳ” ボタンを押すことで、試聴音楽問合せ  手段１１３は、“固体識別番号”と“ＱＲ番号”を送信する。（ステップＳ２０２）
（３）試聴サーバ装置で、会員登録済みチェックをした結果、同じ固体識別番号が存在す  れば、登録済みであるので、楽曲試聴箇所選択画面が受信されて（５）に進む。チェッ  クの結果、新規登録であれば、会員情報入力画面が受信されて、次のステップに進む。  （ステップＳ２０３）
（４）会員情報入力手段１１６は、視聴者が会員情報入力画面に入力した会員情報を、送  信する。（ステップＳ２０４）
（５）試聴箇所選択手段１１４は、楽曲試聴箇所選択画面を表示する。（ステップＳ２０  ５）
（６）試聴者は、楽曲試聴箇所選択画面の楽曲情報を見て、試聴するか判断する。（ステ  ップＳ２０６）試聴する場合は、次のステップに進む。試聴しない場合は、（１１）に  進む。
（７）試聴箇所選択手段１１４は、試聴する楽曲を指定して、（ステップＳ２０７）試聴  音楽コンテンツの楽曲試聴箇所ＵＲＬを送信する。（ステップＳ２０８）
（８）（試聴サーバ装置１０が試聴回数を調べた結果、試聴回数制限以上（３回以上）で  あれば楽曲情報を送信するので、）試聴回数制限以内（３回未満）であれば、楽曲情報  を受信する。（ステップＳ２１０）
（９）音楽を試聴する。（ステップＳ２１１）（６）に進む。
（１０）（試聴サーバ装置１０が試聴回数を調べた結果、試聴回数制限以上（３回以上）  であれば試聴不可画面を送信するので、）試聴不可画面を受信する。（ステップＳ２１  ２）
（１１）試聴者は、楽曲が収録されている収録先情報を閲覧するか判断する。（ステップ  Ｓ２２０）閲覧する場合は、“収録先情報”を選択して、次に進む。（ステップＳ２２  １）閲覧しない場合は、終了する。
（１２）試聴箇所選択手段１１４は、収録先情報画面を受信する。（ステップＳ２２２）  
（１３）試聴者は、収録曲リストを閲覧するか判断する。（ステップＳ２２３）閲覧する  場合は、閲覧したい“収録先”を選択して、次に進む。（ステップＳ２２４）閲覧しな  い場合は、終了する。
（１４）試聴箇所選択手段１１４は、収録曲リスト画面を受信する。（ステップＳ２２５  ）
（１５）試聴者は、試聴するか判断する。（ステップＳ２２６）試聴する場合は、試聴し  たい“楽曲名”を選択して、（２）に進む。（ステップＳ２２７）試聴しない場合は、  終了する。
【００３５】
なお、試聴希望者が、このサービスを新規会員として利用するための会員登録処理のフローチャートは、後述する。
【００３６】
図１１は、本発明による試聴サーバ装置のフローチャート（試聴者に顧客情報を入力させて、試聴回数制限を設けて、試聴箇所を選択できる場合 ）である。
（１）試聴サーバ装置１０の本人認証手段１０３は、モバイル端末装置１１から、確認画      面の送信要求を受けて、確認画面を送信する。（ステップＳ３０１）
（２）本人認証手段１０３は、モバイル端末装置１１から、“固体識別番号”を、受信す    る。（ステップＳ３０２）
（３）本人認証手段１０３は、受信した“固体識別番号”をキーにして、会員情報テーブ    ル１０６ａの固体識別番号を参照して、会員認証する。（ステップＳ３０３）参照の    結果、一致する“固体識別番号”があれば、会員として認証して次のステップに進む    。参照の結果、一致する“固体識別番号”がなければ、会員情報入力画面を送信して    、会員登録処理を行う。（ステップＳ３０４）
（４）楽曲情報提供手段１０４は、受信した“ＱＲ番号”から、情報管理テーブル１０６    ｂを参照して、楽曲試聴箇所選択画面を構成して、送信する。（ステップＳ３０５）    
（５）楽曲情報提供手段１０４は、“楽曲試聴箇所ＵＲＬ”を受信したら、次のステップ    に進む。（ステップＳ３０６）楽曲情報提供手段１０４が、“収録先情報”２２ｃを    受信したら、（９）に進む。（ステップＳ３２０）
（６）音楽コンテンツ提供手段１０８は、受信した“固体識別番号”と“ＱＲ番号”を試    聴回数確認キーにして、試聴履歴テーブル５０の試聴履歴データの“固体識別番号”    ５０ａと“ＱＲ番号”５０ｄを参照する。前記キーと一致する試聴履歴データを、読    み出す。前記読み出した試聴履歴データの試聴回数５０ｃが３回未満であれば、次の    ステップに進む。前記読み出した試聴回数５０ｃが３回以上であれば、試聴不可の表    示を送信して、終了する。（ステップＳ３０７）
（７）試聴履歴記録手段１０５は、前記読み出した試聴履歴データの試聴回数５０ｃに、    １回を加算して、試聴履歴テーブル５０の前記キーと一致する試聴履歴データを更新    する。（ステップＳ３０８）
（８）楽曲情報提供手段１０４は、“楽曲試聴箇所ＵＲＬ”で指定された音楽コンテンツ    を携帯電話に送信する。（ステップＳ３０９）（５）に進む。
（９）楽曲情報提供手段１０４は、収録先情報画面２３を送信する。（ステップＳ３２１    ）
（１０）楽曲情報提供手段１０４は、“収録先情報”２３ａを受信して、収録曲リスト画    面２４を構成して、送信する。（ステップＳ３２３）
（１１）楽曲情報提供手段１０４は、楽曲番号２４ａを受信したら、楽曲試聴箇所選択画    面を構成して、送信する。（ステップＳ３２４）ステップ（５）に進む。
【００３７】
なお、楽曲試聴箇所選択画面、収録先情報画面、収録曲リスト画面を作成する処理のフローチャートは、後述する。
【００３８】
図１２は、本発明によるモバイル端末の画面遷移の例（試聴箇所を選択できる場合）である。試聴サーバ装置１０の楽曲試聴サイト用ＵＲＬを表示する楽曲試聴サイト用ＵＲＬ表示画面２０は、モバイル端末装置１１が、試聴サーバ装置１０の楽曲試聴サイトに、アクセスする時のＵＲＬ２０ａであって、試聴音楽問合せ手段１１３が、二次元コード（たとえば、ＱＲコード）を復号して取り出したもので、接続ボタン２０ｂをおすことで、所定のサイトにアクセスする。固体識別番号送信確認画面２１は、モバイル端末装置１１の会員情報入力手段１１６が、モバイル端末装置１１の固体識別番号を送信しても良いか許諾を求める画面である。固体識別番号を送信しても良ければ、ＹＥＳボタン２１ａ、固体識別番号を送信しても良くなければ、ＮＯボタン２１ｂを押す。楽曲試聴箇所選択画面２２は、楽曲情報の表示と、楽曲試聴箇所選択ボタン２２ａと、再生ボタン２２Ｂから構成されている。収録先情報２２ｃをクリックすると、この楽曲が収録されている収録先一覧の画面２３で表示される。収録先一覧から一つの収録先２３ａ（たとえば、アルバム  ＷＸＹ）を選択して、クリックすると、その収録先の全ての収録曲が、収録曲リスト画面２４として表示される。収録曲の一つ２４ａを選択して、クリックすると、その楽曲の楽曲試聴箇所選択画面２２が表示される。試聴したい箇所２２ａを選択して、再生ボタン２２ｂを押すと、選択箇所ＵＲＬが送信されて、試聴したい音楽コンテンツが返信されて、音楽が再生される。
【００３９】
図１３は、本発明によるモバイル端末の画面遷移の例（試聴箇所を選択させずに試聴する場合）である。楽曲試聴サイト用ＵＲＬ表示画面２０と、固体識別番号送信確認画面２１と、収録先情報画面２３と、収録曲リスト画面２４の画面構成は、図１２と同じである。音楽再生リクエスト画面２２ｇのボタン構成は、再生ボタン２５ｂのみが存在する。再生ボタン２５ｂを押すと、所与の楽曲試聴箇所ＵＲＬが送信されて、所定の楽曲試聴箇所の音楽が再生される。
【００４０】
図１４は、本発明によるモバイル端末の画面遷移の例（QRコードを読取ってから会員登録をするまでの画面遷移）である。固体識別番号送信確認画面２１で、送信の許可を得た固体識別番号を受信して、会員認証をした結果、新規会員であることが判明すると、会員登録画面２５が表示される。必要な情報を入力して、“入力内容送信”ボタン２５ａを押すと、試聴サーバ装置１０に情報が送信されて、内容確認の画面２６を受信する。内容確認の画面２６の“ＯＫ” ボタン２６ａを押すと、内容確認した情報や固体識別番号を含んだ会員情報が試聴サーバ装置１０にされる。会員登録処理が完了すると、楽曲試聴箇所選択画面２２が表示される。
【００４１】
図１５は、本発明による楽曲試聴箇所選択画面作成処理のフローチャートである。
楽曲試聴箇所選択画面作成処理の手順は、
（１）楽曲情報提供手段１０４は、二次元コードを復号して得られた“ＱＲ番号”をキー    にして、ＱＲ情報テーブル５２のＱＲ番号を参照して、前記キーと一致するＱＲ番号    の“楽曲番号”５２ａを取得する。（ステップＳ５０１）
（２）この“楽曲番号” ５２ａをキーにして、楽曲名テーブル５３の楽曲番号を参照し    て、前記キーと一致する楽曲番号の“楽曲名”５３ｂ、“アーティスト番号”５３ｃ    を取得する。（ステップＳ５０２）
（３）この“アーティスト番号”５３ｃをキーにして、アーティスト名テーブル５４のア    ーティスト番号を参照して、前記キーと一致するアーティスト番号の“アーティスト    名”５４ａ、“アーティスト情報”５４ｂを取得する。（ステップＳ５０３）
（４）この“楽曲番号”５２ａをキーにして、試聴箇所管理テーブル５５の楽曲番号を参    照して、前記キーと一致する楽曲番号の“試聴箇所ＵＲＬ” ５５ｃ（１個、または    、複数）を取得する。（ステップＳ５０４）
（５）前記“楽曲名”５３ｂ、前記“アーティスト名”５４ａ、前記“試聴箇所ＵＲＬ”    ５５ｃを含む楽曲試聴箇所選択画面２２を作成して送信する。（ステップＳ５０５）    
なお、あらかじめ、楽曲番号が判っている場合は、ステップ（２）から、処理を開始して    もよい。
【００４２】
図１６は、本発明による収録先情報画面作成処理のフローチャートである。収録先情報画面作成処理の手順は、
（１）楽曲情報提供手段１０４は、前記“楽曲番号”５２ａをキーにして、収録先テーブ    ル５８の楽曲番号を参照して、前記キーと一致する楽曲番号の全ての“商品番号”５    ８ａを取得する。（ステップＳ５１１）
（２）前記全ての“商品番号” ５８ａをキーにして、商品名テーブル５７の商品番号を    参照して、前記キーと一致する商品番号の全ての“商品名”５７ａを取得する。（ス    テップＳ５１２）
（３）前記全ての“商品番号” ５８ａと、前記取得した全ての“商品名”５７ａとを含    む収録先情報画面２３を作成して送信する。（ステップＳ５１３）
なお、試聴者が、収録先情報画面２３で、商品名を選択すると、選択した商品名と商品番号が送信される。
【００４３】
図１７は、本発明による収録曲リスト画面作成処理のフローチャートである。収録曲リスト画面作成処理の手順は、
（１）楽曲情報提供手段１０４は、“商品番号” ５８ａをキーにして、収録先テーブル    ５８の商品番号を参照して、前記キーと一致する商品番号の全ての“楽曲番号”５３    ｂを取得する。（ステップＳ５２１）
（２）前記全ての“楽曲番号” ５３ａをキーにして、楽曲名テーブル５３の楽曲番号を    参照して、前記キーと一致する楽曲番号の全ての“楽曲名”５３ｂを取得する。（ス    テップＳ５２２）
（３）前記全ての“楽曲番号” ５３ａと、前記取得した全ての“楽曲名”５３ｂと、を    含んだ収録曲リスト画面２４を作成して送信する。（ステップＳ５２３）
なお、試聴者が、収録曲リスト画面２４で、“楽曲名”５３ｂを選択すると、選択した楽曲名と楽曲番号が送信される。
【００４４】
図１８は、本発明による会員情報登録画面で会員登録するフローチャートである。
（１）試聴サーバ装置１０の会員情報登録手段１０２は、モバイル端末装置１１からの要    求に応じて、会員情報入力画面を送信する。（ステップＳ４００）
（２）モバイル端末装置１１の会員情報入力手段１１６は、 試聴サーバ装置１０から会    員情報入力画面を受信して、表示する。（ステップＳ４０１）
（３）試聴者は、会員情報入力画面に必要な情報を入力する。（ステップＳ４０２）
（４）会員情報入力手段１１６は、会員情報入力画面に入力された情報を、送信する。（    ステップＳ４０３）
（５）試聴サーバ装置１０の会員情報登録手段１０２は、会員情報入力画面に入力された    情報を、受信する。（ステップＳ４０４）
（６）受信した固体識別番号で、会員情報テーブル１０６ａの固体識別番号を参照して、    一致固体識別番号が存在するかをチェックする。（ステップＳ４０５）同じ固体識別    番号が存在すれば、登録済みのメッセージを、モバイル端末装置１１に送信する。（    ステップＳ４０７）同じ固体識別番号が存在なければ、次のステップに進む。
（７）試聴サーバ装置１０の会員情報登録手段１０２は、受信した会員情報と固体識別番    号を会員情報テーブル１０６ａに登録保存する。（ステップＳ４０６）
【００４５】
図１９は、本発明による、ＱＲコードデータによる楽曲情報表示までのシーケンス図（図２０に続く）である。
（１）携帯電話で、ＱＲコードを読み取り、復号して、楽曲番号と試聴サーバ装置１０の    楽曲試聴サイト用ＵＲＬを得る（図１２（Ａ））。
（２）携帯電話から、試聴サーバ装置１０の楽曲試聴サイト用ＵＲＬでアクセスして、携    帯電話の固体識別番号と楽曲番号を使って、会員情報テーブル５１を検索参照して、    会員登録されているか調べる（同（Ｂ））。
（３）会員登録されていなければ、携帯電話の固体識別番号、機種名、キャリア名、ブラ    ウザＶｅｒなどを、試聴サーバにて、新規登録して、新規登録作業が終了したら、登    録完了を表示する（同（Ｃ））。
（４）会員登録されていれば、携帯の固体識別番号と楽曲番号で、試聴履歴テーブル５０    を参照して、過去の試聴回数をチェックして、残り試聴回数を返答する。（残り試聴    回数が、０回であれば、試聴不可を告知する（同（Ｄ））。
（５）試聴回数が、３回未満の場合は、楽曲番号で、楽曲名テーブル５３を検索参照して    、楽曲名、楽曲情報を携帯電話に返答する（同（Ｅ））。
（６）携帯電話から、楽曲番号を受信して、試聴箇所管理テーブル５５を検索参照して、    試聴箇所ＵＲＬを返答する（同（Ｆ））。
（７）試聴サーバにて、楽曲番号で、アーティスト名テーブル５４を検索参照して、アー    ティスト名、アーティスト情報を返信して、携帯電話にて、表示部に表示される（同    （Ｇ））。
【００４６】
図２０は、本発明による、試聴楽曲選択から試聴までのシーケンス図（図１９からの続き）である。
（１）携帯電話にて、楽曲を選択すると、携帯の固体識別番号、楽曲番号、試聴箇所番号    、試聴箇所ＵＲＬ、ＱＲ番号が送信される（図１３（Ａ））。
（２）試聴サーバにて、携帯の固体識別番号と楽曲番号で、試聴履歴テーブル５０を参照    して、確認（携帯の固体識別番号、楽曲番号）する（同（Ｂ））。
（３）試聴履歴テーブル５０に、履歴データ（携帯の固体識別番号、試聴箇所番号、ＱＲ    番号、楽曲番号、日付）を登録する（同（Ｃ））。
（４）登録完了したら、試聴箇所ＵＲＬで、試聴音楽コンテンツを取得して、携帯電話に    返信する（同（Ｄ））。
（５）携帯電話にて、試聴音楽コンテンツを受信して、試聴する（同（Ｅ））。
【００４７】
図２１は、本発明による試聴履歴分析のフローチャートである。年齢世代別に各楽曲の試聴数分布を集計するの分析条件式の記述は、たとえば、企業番号＝1724の時には、年齢世代別／人気曲分析情報の “K＝1724＆G＆”となる。ここで、“G＆”は、“年齢世代別”に集計するという意味である。
（１）分析条件式“K＝1724＆G＆”が、入力される。（ステップＳ７０）
（２）分析キーは、企業番号キー“K＆”と、年齢世代キー“G＆”である。（ステップ    Ｓ７１）
（３）分析条件式の企業番号キー“K＝1724”を照合キーにして、ＱＲ情報テーブル５２    のＱＲ番号５２ａを抽出する。（ステップＳ７２）
（４）ＱＲ番号５２ａを照合キーにして、試聴履歴テーブル５０を検索する。（ステップ    Ｓ７３）
（５）楽曲番号５２ａ照合キーと一致した試聴履歴データから、試聴履歴データ項目の楽    曲番号５０ｂと試聴回数５０ｃと、年齢世代を特定するのに必要な携帯電話の固体識    別番号５０ａとを抽出する。（ステップＳ７４）
（６）年齢世代キー“G＆”が必要とする年代データを取得するために、抽出した固体識    別番号５０ａをキーにして、抽出した会員情報テーブルを検索して、抽出した会員の    年代５１ｂのデータを取得する。（ステップＳ７５）
（７）取得した会員の年代５１ｂと楽曲番号５０ｂと試聴回数５０ｃとを、年代別・楽曲    別・試聴回数集計表に、加算、集計する。（ステップＳ７６）
（８）企業番号と楽曲番号は、企業名テーブル５６と楽曲名テーブル５３で、名称に変換    する。（ステップＳ７７）
（９）年代別・楽曲別・試聴回数集計表と名称を使って、分析結果をまとめる。（ステッ    プＳ７８）
（１０）分析結果を、表示する。（ステップＳ７９）
【００４８】
同様に、ある特定の曲を広告媒体別に試聴数を集計する時の分析条件式の記述は、たとえば、企業番号＝1724、楽曲番号＝2004-84568の時には、 “K＝1724＆M＝2004-84568＆B＆”となる。ここで、“B＆”は、“広告媒体別”に集計するという意味である。
（１）分析条件式“K＝1724＆＝2004-84568＆B＆”が、入力される。（ステップＳ７０）
（２）分析キーは、企業番号キー“K＆”と、楽曲キー“M ＆” と、媒体キー“B＆”    である。（ステップＳ７１）
（３）分析条件式の企業番号キー“K＝1724”と 楽曲番号“2004-84568”を照合キーに    して、ＱＲ情報テーブル５２のＱＲ番号５２ａと、広告媒体を特定するのに必要な媒    体番号５２ｂを抽出する。（ステップＳ７２）
（４）ＱＲ番号５２ａを照合キーにして、試聴履歴テーブル５０を検索する。（ステップ    Ｓ７３）
（５）楽曲番号５２ａ照合キーと一致した試聴履歴データから、試聴履歴データ項目の試    聴回数５０ｃを抽出する。（ステップＳ７４）
（６）試聴履歴データ項目の試聴回数５０ｃに、変換の必要はない。（ステップＳ７５）
（７）取得した媒体番号５２ｂと試聴回数５０ｃとを、楽曲別・媒体別・試聴回数集計表    に、加算、集計する。（ステップＳ７６）
（７）媒体番号と楽曲番号は、媒体名テーブル５９と楽曲名テーブル５３で、名称に変換    する。（ステップＳ７７）
（９）楽曲別・媒体別・試聴回数集計表と名称を使って、分析結果をまとめる。（ステッ    プＳ７８）
（１０）分析結果を、表示する。（ステップＳ７９）
【００４９】
同様に、広告媒体別に試聴数を集計する分析条件式の記述は、たとえば、“企業番号＝1724”で、広告媒体別の時には、“K＝1724＆B＆”となる。
（１）分析条件式“K＝1724＆B＆”が、入力される。（ステップＳ７０）
（２）分析キーは、企業番号キー“K＆”と媒体キー“B＆”である。（ステップＳ７１    ）
（３）分析条件式の企業番号キー“K＝1724”を分析キーにして、ＱＲ情報テーブル５２    のＱＲ番号５２ａと媒体番号５２ｂを抽出する。（ステップＳ７２）
（４）ＱＲ番号５２ａを照合キーにして、試聴履歴テーブル５０を検索する。（ステップ    Ｓ７３）
（５）楽曲番号５２ａ照合キーと一致したデータの、試聴履歴データ項目の試聴回数５０    ｃを抽出する。（ステップＳ７４）
（６）試聴履歴データ項目の試聴回数５０ｃに、変換の必要はない。（ステップＳ７５）    
（７）取得した媒体番号５２ｂと試聴回数５０ｃとを、媒体別・試聴回数集計表に、加算    、集計する。（ステップＳ７６）
（８）媒体番号は、媒体名テーブル５９で、名称に変換する。（ステップＳ７７）
（９）媒体別・試聴回数集計表と名称を使って、分析結果をまとめる。（ステップＳ７８）
（１０）分析結果を、表示する。（ステップＳ７９）
【００５０】
図２２は、本発明による情報解析のシーケンス図−年齢世代別人気曲分析である。
（１）年齢世代別／人気曲分析情報の分析条件式を、試聴サーバ１０に送信する（図１９    （Ａ））。
（２）企業番号で、ＱＲ情報テーブル５３を検索して、ＱＲ番号と楽曲番号を抽出する（    同（Ｂ））。
（３）抽出したＱＲ番号で、試聴履歴テーブル５０を検索して、固体識別番号と試聴回数    を抽出する（同（Ｂ））。
（４）抽出した固体識別番号で、会員情報テーブル５１を検索して、年齢世代を抽出して    、年齢世代と試聴回数を年齢世代別試聴回数集計表に加算する（同（Ｃ））。
（５）抽出した楽曲番号で、楽曲名テーブル５３を検索して、楽曲名を抽出して、年齢世    代別試聴回数集計表に、楽曲名を附加する（同（Ｄ））。
（６）集計処理が終了したら、楽曲名付き年齢世代別試聴回数集計表を閲覧表示する（同    （Ｅ））。
【００５１】
図２３は、本発明による情報解析のシーケンス図−人気曲の広告媒体分析である。
（１）特定曲／広告媒体分析の分析条件式を試聴サーバ１０に送信する（図２０（Ａ））。
（２）企業番号＆特定楽曲番号で、ＱＲ情報テーブル５３を検索数して、ＱＲ番号＆特定    楽曲番号を抽出する（同（Ｂ））。
（３）抽出したＱＲ番号＆特定楽曲番号で、試聴履歴テーブル５０を検索して、試聴回数    を楽曲別・媒体別・試聴回数集計表に加算する（同（Ｃ））。
（４）抽出した楽曲番号で、媒体名テーブル５２を検索して、媒体名を抽出して、媒体別    ・試聴回数集計表に媒体名を附加する（同（Ｄ））。
（５）集計処理が終了したら、媒体名別・試聴回数集計表を閲覧表示する（同（Ｅ））。
【００５２】
図２４は、本発明による情報解析のシーケンス図−広告媒体の分析である。
（１）広告媒体別の分析条件式を試聴サーバに送信する（図２１（Ａ））。
（２）企業番号で、ＱＲ情報テーブル５３を検索数して、ＱＲ番号と媒体番号を抽出する    （同（Ｂ））。
（３）抽出したＱＲ番号で、試聴履歴テーブル５０を検索して、試聴回数を媒体別・試聴    回数集計表に加算する（同（Ｃ））。
（４）抽出した媒体番号で、媒体名テーブル５２を検索して、媒体名を抽出して、媒体別    ・試聴回数集計表に媒体名を附加する（同（Ｄ））。
（５）集計処理が終了したら、媒体名別・試聴回数集計表を閲覧表示する（同（Ｅ））。
【００５３】
図２５は、本発明による分析情報の提供画面例である。試聴履歴管理画面７０からログインして、試聴履歴分析画面７１にアクセスする。この試聴履歴分析画面７１で、集計のための分析条件式を入力すると、所望の集計結果が得られる。たとえば、年齢世代別に各楽曲の試聴数分布を集計する時には、年齢世代別／人気曲分析情報の分析条件式“K＝1724＆G＆”が、入力されると、年齢世代別／人気曲集計結果７２が表示される。同様に、広告媒体別にある特定の曲の試聴数分布を集計する時には、特定曲／広告媒体分析の分析条件式“K＝1724＆M＝2004-84568＆B＆”が、入力されると、特定曲／広告媒体集計結果７３が表示される。また、広告媒体別に試聴数分布を集計する時には、広告媒体の分析条件式“K＝1724＆B＆”が、入力されると、広告媒体集計結果７４が表示される。試聴履歴テーブルを集計分析処理することで、企業の販売促進に有用な分析結果が得られる。
【００５４】
以上詳しく説明したように、本発明によれば、音楽試聴サービスシステムを提供することで、試聴者は、試聴リクエスト情報を含んだ二次元コードを、モバイル端末のカメラで撮影することで、試聴リクエスト情報のキー入力の手間を省き、試聴音楽コンテンツを容易に入手することが可能になる。また、音楽コンテンツ販売企業は、リアルタイムに試聴履歴を閲覧可能になり、試聴結果を分析して利用することで、嗜好情報を把握したり、ポスター、広告、雑誌などの販促媒体の効果を把握することが出来るので、効果的な販促活動を行える。
【図面の簡単な説明】
【００５５】
【図１】本発明による音楽試聴サービスの概念図
【図２】本発明による音楽試聴サービスシステムの構成図
【図３】本発明による情報テーブルの説明図
【図４】本発明によるサーバ装置とモバイル端末装置との通信手順の説明図（試聴者に顧客情報を入力させて、試聴回数制限を設けて、試聴箇所を選択できる場合）
【図５】本発明によるサーバ装置とモバイル端末装置との通信手順の説明図（試聴者に顧客情報を入力させずに試聴履歴をとり、試聴回数制限を設けて、試聴箇所を選択できる場合 ）
【図６】本発明によるサーバ装置とモバイル端末装置との通信手順の説明図（試聴者に顧客情報を入力させずに試聴履歴をとり、試聴回数制限を設けて、試聴箇所を選択させずに試聴する場合 ）
【図７】本発明によるサーバ装置とモバイル端末装置との通信手順の説明図（試聴者に顧客情報を入力させずに試聴履歴をとり、試聴回数制限を設けずに、音楽の試聴箇所を選択できる場合 ）
【図８】本発明によるサーバ装置とモバイル端末装置との通信手順の説明図（試聴履歴をとらずに、試聴回数制限を設けずに、音楽の試聴箇所を選択できる場合）
【図９】本発明によるサーバ装置とモバイル端末装置との通信手順の説明図（試聴履歴をとらずに、試聴回数制限を設けずに、試聴箇所を選択させずに試聴する場合）
【図１０】本発明によるモバイル端末装置のフローチャート（試聴者に顧客情報を入力させて、試聴回数制限を設けて、試聴箇所を選択できる場合 ）
【図１１】本発明による試聴サーバ装置のフローチャート（試聴者に顧客情報を入力させて、試聴回数制限を設けて、試聴箇所を選択できる場合 ）
【図１２】本発明によるモバイル端末の画面遷移の例（試聴箇所を選択できる場合）
【図１３】本発明によるモバイル端末の画面遷移の例（試聴箇所を選択させずに試聴する場合）
【図１４】本発明によるモバイル端末の画面遷移の例
【図１５】本発明による楽曲試聴箇所選択画面作成処理のフローチャート
【図１６】本発明による収録先情報画面作成処理のフローチャート
【図１７】本発明による収録曲リスト画面作成処理のフローチャート （QRコードを読取ってから会員登録をするまでの画面遷移）
【図１８】本発明による会員登録処理のフローチャート
【図１９】本発明による、ＱＲコードデータによる楽曲情報表示までのシーケンス図（図２０に続く）
【図２０】本発明による、試聴楽曲選択から試聴までのシーケンス図（図１９からの続き）
【図２１】本発明による試聴履歴情報分析のフローチャート
【図２２】本発明による情報解析のシーケンス図−年齢世代別人気曲分析
【図２３】本発明による情報解析のシーケンス図−人気曲の広告媒体分析
【図２４】本発明による情報解析のシーケンス図−広告媒体の分析
【図２５】本発明による分析情報の提供画面例
【符号の説明】
【００５６】
１０  試聴サーバ装置
１０２  会員情報登録手段
１０３  本人認証手段
１０４  楽曲情報提供手段
１０５  試聴履歴記録手段
１０６  記憶手段
１０６ａ  音楽コンンテンツ
１０６ｂ  情報管理テーブル
５１  会員情報テーブル
５０  試聴履歴テーブル
１０７  試聴履歴分析手段
１０８  音楽コンテンツ提供手段
１１  モバイル端末装置
１１２  撮像手段
１１３  試聴音楽問合せ手段
１１４  試聴箇所選択手段
１１５  試聴音楽受信手段
１１６  会員情報入力手段
１２  販売促進用媒体
１４  企業
２０  楽曲試聴サイト用ＵＲＬ表示画面
２０ａ  楽曲試聴サイト用ＵＲＬ
２１  固体識別番号送信確認画面
２１ａ  ＹＥＳボタン
２２  楽曲試聴箇所選択画面
２２ｂ  再生ボタン
２２ｃ  収録先情報
２２ｇ  音楽再生リクエスト画面
２３  収録先情報画面
２４  収録曲リスト画面
５０  試聴履歴テーブル
５０ａ  固体識別番号
５０ｂ  楽曲番号
５０ｃ  日付（試聴回数）
５０ｄ  ＱＲ番号
５１  会員情報テーブル
５１ａ  固体識別番号
５２  ＱＲ情報テーブル
５２ａ  楽曲番号
５２ｃ  ＱＲ番号
５３  楽曲名テーブル
５３ｂ  楽曲名
５３ｃ  アーティスト番号
５４  アーティスト名テーブル
５５  試聴箇所管理テーブル
５５ｃ  試聴箇所ＵＲＬ
５６  企業名テーブル
５７  商品名テーブル
５７ａ  商品名
５８  収録先テーブル
５８ａ  商品番号
５９  販促媒体名テーブル
７０  試聴履歴管理画面
７１  試聴履歴分析画面
７２  年齢世代別／人気曲集計結果
７３  特定曲／広告媒体集計結果
７４  広告媒体集計結果
【図１】
2006227240.tif 000003
【図２】
2006227240.tif 000004
【図３】
2006227240.tif 000005
【図４】
2006227240.tif 000006
【図５】
2006227240.tif 000007
【図６】
2006227240.tif 000008
【図７】
2006227240.tif 000009
【図８】
2006227240.tif 000010
【図９】
2006227240.tif 000011
【図１０】
2006227240.tif 000012
【図１１】
2006227240.tif 000013
【図１２】
2006227240.tif 000014
【図１３】
2006227240.tif 000015
【図１４】
2006227240.tif 000016
【図１５】
2006227240.tif 000017
【図１６】
2006227240.tif 000018
【図１７】
2006227240.tif 000019
【図１８】
2006227240.tif 000020
【図１９】
2006227240.tif 000021
【図２０】
2006227240.tif 000022
【図２１】
2006227240.tif 000023
【図２２】
2006227240.tif 000024
【図２３】
2006227240.tif 000025
【図２４】
2006227240.tif 000026
【図２５】
2006227240.tif 000027